(57)【特許請求の範囲】
【請求項１】
観測井戸内で測定した計測値を蓄積するメモリが設けられているとともに該メモリに蓄積された収録データを外部に取り出すためのインタフェースが設けられ上記観測井戸内の水中に沈降させて使用される計測部と、
該観測井戸の地上側に設置され上記インタフェースのコネクタを取付けた電源電池収納部と、
上記観測井戸の地上側直上に設けたケーブル係止部材と、
そのケーブル係止部材に係止されて上記計測部を上記観測井戸内に垂下する懸垂状ケーブル部分、およびその懸垂状ケーブル部分と繋がって十分なゆとりをもって上記電源電池収納部に接続されるループ状ケーブル部分を有するケーブルとを備えたことを特徴とする水位または水質測定装置。
【請求項２】
上記電源電池収納部は鎖錠可能な保護キャップで覆うようにしたことを特徴とする請求項１に記載の水位または水質測定装置。
【発明の詳細な説明】
【０００１】
【産業上の利用分野】
本発明は、水位または水質測定装置に関するものである。
【０００２】
【従来の技術】
一般に水位または水質、特に地下水位は地下水流の状況によって特長ある分布や挙動を示すところから、地下水位の測定は地下水調査のなかでも重要なものである。水位計を大別すると、フロート式と圧力式とがある。フロート式水位計はフロートの径が大きくないと精度が悪くなるため、径の小さな観測井戸用としては不向きであり、また、記録紙へのアナログ記録のためにデータ処理が面倒で、コンピュータ化が困難である。更に、水位変化が著しい場合には、重錘の移動する範囲を確保するため重錘用のボーリング孔を必要とする。これに対し、圧力式水位計では、小口径の観測井戸にも適用できる利点がある。しかし、長期測定には専用または汎用のデータロガーを地表に設置して行っていたため、温度変化による影響を受け難くするためには、データロガーを保温箱等に収納する必要があった。
【０００３】
【発明が解決しようとする課題】
上記した温度変化による影響をなくすためデータロガー収納用の保温箱等を設置するといった不便は、水位計本体に内蔵させたメモリに測定したデータを収録させ、必要なときに、これを地上に引き上げてそのデータを取り出すことができるようにすることで解消できよう。水質計の場合も同様である。ところが、データを取り出したり、新しい電池に交換するため地上に引き上げたものを再度水中に設定したときに以前の設置深度と違ってしまい、これによる測定誤差を生じさせるという問題があった。本発明は上記した課題を解決することを目的としている。
【０００４】
【課題を解決するための手段】
本発明は、上記の課題を解決するため、観測井戸内で測定した計測値を蓄積するメモリが設けられているとともに該メモリに蓄積された収録データを外部に取り出すためのインタフェースが設けられ上記観測井戸内の水中に沈降させて使用される計測部と、該観測井戸の地上側に設置され上記インタフェースのコネクタを取付けた電源電池収納部と、上記観測井戸の地上側直上に設けたケーブル係止部材と、そのケーブル係止部材に係止されて上記観測井戸内の上記計測部を懸垂する懸垂状ケーブル部分、およびその懸垂状ケーブル部分と繋がり十分なゆとりをもって上記電源電池収納部に接続されるループ状ケーブル部分を有するケーブルとを備えたものである。
【０００５】
また、本発明は、上記の電源収納部を鎖錠可能な保護キャップで覆うことを特徴とするものである。
【０００６】
【作用】
観測井戸内で測定した計測値は計測部内のメモリに蓄積しておく。この収録データを外部に取り出したいときには、観察員が例えばノート型パソコンを持参して、観測井戸の地上側に設置された電源電池収納部のインタフェース用コネクタに接続して行う。作業を容易にするため電源電池収納部を外すことになるが、この場合、ループ状ケーブル部分を適宜のばしても、懸垂ケーブル部分の長さには何の影響も与えず、計測部の設置位置を狂わすことがない。電池交換作業でも同じことがいえる。
【０００７】
上記の電源収納部は保護キャップで覆い、その保護キャップを鎖錠によって取り外せなくすると、部外者の者が内部の機器に触れさせなくするし、観測井戸内に石を投げ入れるといった悪さも防止できる。
【０００８】
【実施例】
図１は、本発明になる圧力式水位測定装置を水位観測井戸に設備した実施例を示している。同図からわかるように、この圧力式水位計は、観測井戸内の水中に沈降させて使用される計測部１と、その井戸の地上側に設けた電源電池収納部２と、上記計測部１と電源電池収納部２とを接続するケーブル３から構成されている。計測部１のプローブには水位検出孔４が穿設されること、図１に示すとおりである。図２は、この水位計のブロックダイアグラムであって、１ａはセンサー、１ｂはアンプ、１ｃはＡ／Ｄコンバータ、１ｄは測定値を収録するＲＡＭ、１ｅは予め設定された測定時間間隔で自動的に水位を測定するプログラムを記憶させたＲＯＭ、１ｆはＣＰＵ、および１ｇはＲＳ−２３２Ｃインタフェースである。センサー１ａとしては、水位計の場合は上記水位検出孔４からの水圧を受けることで大きく抵抗が変化する半導体のピエゾ抵抗効果を利用した従来公知のものが使用される。ケーブル３は、この種の分野に使用されている、中心にテンションメンバーを配置し、その周囲に４本の線心と、大気圧変化による測定誤差を軽減させるための大気解放パイプを配したケーブルが使われる。
【０００９】
注目すべきは、電源電池収納部２には前記インタフェース１ｇに対応するインタフェース用のコネクタ５が取付けられている点、図１の場合、観測井戸側壁崩れ防止用の保護パイプ７が地上に顕出する上端部分の外側に、内側に内筒９を嵌着したスリーブ８を固着し、電源電池収納部２の外周面に形成した鍔部１１を内筒９の上端面に係止させることで電源電池収納部２を装着可能となし、図３，図４および図６から明らかなように、内筒９の上端面から下端面近傍に至るところまで形成した対向する縦溝１７，１７の底部でケーブル係止部材１８の軸１９の両端を支承して、上記観測井戸の地上側直上にケーブル係止部材１８を設けている点、また、電池収納部２のケーブル固定具２０から垂下するケーブル３は、一旦、十分なゆとりを持たせたループ状ケーブル部分２１を形成してからケーブル係止部材１８に巻回させたのち、該係止部材１８の入と出のケーブル部分を結着材２２で結着して該係止部材１８に係合する吊環箇所を形成している点、その吊環箇所からは真っ直ぐな懸垂状ケーブル部分２３となって、下端に上記計測部１を保持している点である。
【００１０】
したがって、水中にある計測部１内に収録されている測定データを取出すときに、観測員はノート型パソコンあるいは専用データ収録器といった機器６を持参して、そのコードを地表側にある電源電池収納部２のコネクタ５に接続させるためループ状ケーブル部分２１を適宜延ばして電池収納部２を取り外し、然るべき場所に置くときに、位置固定のケーブル係止部材１８に係止させた吊環箇所からの懸垂状ケーブル部分２３の長さは一定不変であるから、計測部１の位置に変化はない。データの取り込みは簡単かつ短時間で済み、データを取り込んだ機器６は持ち帰ることができる。電池交換作業についても、上記した作業に準じて行なえばよい。
【００１１】
この実施例では、その電源電池収納部２の外側を内筒９の外側に嵌めた保護キャップ１０によって覆い、更に、保護キャップ１０を鎖錠により取り外せなくするため、図３の如く、内筒９に横溝１２を形成し、保護キャップ１０には同一軸心上にピン挿通孔１３，１３を穿設して、図４に示したように、保護キャップ１０のピン挿通孔１３，１３を内筒９の横溝１２に合致させた状態で頭付きピン１４を挿入し、その頭付きピン１４の先端箇所に穿設した小孔１５に錠前１６を掛けられるようにしている。頭付きピン１５の配置つまり保護キャップ１０のピン挿通孔１２，１２と内筒９の横溝１１は、鎖錠時の平面図である図５からわかるように、保護キャップ１０と内筒９のできるだけ外側とすることで、内筒９の内側にあるケーブル３の邪魔になることはない（図４参照）。上記のように保護キャップ１０を鎖錠により取り外せなくした場合、鍵をもった検査員が先ず錠前１６を外し、頭付きピン１４を抜いて保護キャップ１０を取り去り、前述したところと同様、電源電池収納部２を取出すことで前記ＲＳ２３２Ｃコネクタ５を顕出させ、持参したノート型パソコン６（図２）を該コネクタ５に接続してデータを取り込む。完了後は、保護キャップ１０を再び元の状態に組み付けて、鎖錠しておく。
【００１２】
上記の例で、観測井戸には側壁崩れ防止用の保護パイプ７を設けるとして説明したが、保護パイプ７は必ずしも必須ではないが、保護パイプ７を設けない場合には、これに代ってケーブル係止部材１８の支持構造体が必要になる。また、上記したケーブルの吊環箇所に代えて、ケーブルにフック金具を取付け、そのフック金具をケーブル係止部材１８に係合係止させるようにしてもよい。
【００１３】
以上は水位測定計の場合について説明したが、水質測定計の場合でも全く同じことである。
【００１４】
【発明の効果】
上記のように、本発明によれば、水中にある計測部内に収録蓄積した測定データは、計測部内のインタフェース、上記計測部と地上側にある電源電池収納部を接続するケーブル、該電源電池収納部に設けたコネクタを介して、観察員が持参したノート型パソコン等に短時間かつ容易にデータを取り込むことが至極簡便にでき、従来のような保温箱設備等は不要である。しかも前記コネクタとの接続作業や消耗した電池の交換作業は、水中の計測部を引き上げずに行えるだけでなく、計測部の設置深度は不変である。したがって、計測部を地上に引き上げ、所要の作業終了後、計測部を再設置する場合に生じた設置深度の違いによる測定誤差を生じさせないし、計測部をほぼ一定の水温環境下に置き、温度変化に伴う誤差を少なくすることができる。
【００１５】
更に、電源収納部を覆う保護キャップを鎖錠可能とすることで、鍵の所持者でなければこの機器に触れることができないから、機器の損傷防止、或いは観測井戸内に石を投げ入れることで水位が変わって測定誤差等を生じさせていた原因を払拭させることができる。
【図面の簡単な説明】
【図１】本発明になる圧力式水位測定装置を水位測定井戸に設備したときの一実施例を示す断面図である。
【図２】図１の水位計のブロックダイアグラムである。
【図３】保護キャップ回りの分解斜視図である。
【図４】保護キャップの鎖錠とケーブル係止部材回りの一部を破断して示した断面図である。
【図５】保護キャップの鎖錠時の平面図である。
【図６】ケーブル係止部材回りの断面図である。
【符号の説明】
１    計測部、
１ｇ  インタフェース
２    電源電池収納部、
３    ケーブル
４    水位検出孔、
５    インタフェース用のコネクタ
７    保護パイプ
８    スリーブ
９    内筒
１０    保護キャップ
１１    鍔部
１２    横溝
１３    ピン挿通孔
１４    頭付きピン
１５    小孔
１６    錠前
２１    ループ状ケーブル部分
２３    懸垂状ケーブル部分
【図１】
0003553175.tif 000002
【図２】
0003553175.tif 000003
【図３】
0003553175.tif 000004
【図４】
0003553175.tif 000005
【図５】
0003553175.tif 000006
【図６】
0003553175.tif 000007